(57)【要約】  【課題】ＣＰＵが１つのコマンドで補正データの転送・チェックを行うことができ、表示用のメモリデータ変更に関してＣＰＵの負荷を軽減することができる映像表示装置を提供する。  【解決手段】  ＣＰＵがメモリＩＦ２にメモリデータのチェックを実行させるコマンドを発行すると、データ比較部２２が画像データの非表示期間に外部メモリ５のデータと内部メモリ４のデータを比較し、データ不一致が有った場合、err_data信号をＣＰＵに出力する。また、チェックサム比較部２４は外部メモリ５のチェックサムデータとチェックサム演算部２３からのチェックサムデータを比較し、不一致の場合、err_sum信号をＣＰＵに出力する。これにより、ＣＰＵは１コマンド実行のみで内部メモリのデータチェックを行うことができ、このチェック期間中も種々の設定更新を行うことが可能となる。  【選択図】図３
2007047426.tif 000002
【特許請求の範囲】
【請求項１】
外部メモリから内部メモリに転送された補正データを用いて入力映像データに対して補正処理を行う映像表示装置であって、
制御部からの指令により外部メモリと内部メモリのデータの比較を行うチェック手段を備えたことを特徴とする映像表示装置。
【請求項２】
外部メモリから内部メモリに転送された補正データを用いて入力映像データに対して補正処理を行う映像表示装置であって、
制御部からの指令により外部メモリから内部メモリに補正データを転送するとともに、外部メモリと内部メモリのデータの比較を行う転送・チェック手段を備えたことを特徴とする映像表示装置。
【請求項３】
請求項１または請求項２に記載された映像表示装置において、
上記チェック手段または転送・チェック手段が、映像データの非表示期間に補正データ転送及び／またはデータ比較を行うことを特徴とする映像表示装置。
【請求項４】
請求項１または請求項２に記載された映像表示装置において、
上記外部メモリがデータのチェックサムを格納し、上記チェック手段または転送・チェック手段が、内部メモリのデータから算出したチェックサムと上記外部メモリに格納されたチェックサムとを比較することにより、データ比較を行うことを特徴とする映像表示装置。
【請求項５】
請求項１または請求項２に記載された映像表示装置において、
データエラーが生じた場合、上記チェック手段または転送・チェック手段が、データエラーが生じたメモリアドレス及びデータを保存し、データ比較の再実行時にエラー発生直前のアドレスからデータ比較を実行することを特徴とする映像表示装置。
【請求項６】
請求項１または請求項２に記載された映像表示装置において、
上記チェック手段または転送・チェック手段が、外部メモリ及び内部メモリのメモリ領域を分割し、分割した領域毎にデータ比較を実行することを特徴とする映像表示装置。
【請求項７】
請求項１または請求項２に記載された映像表示装置において、
外部メモリ及び内部メモリの一括データ比較あるいは特定領域のみのデータ比較を選択可能であることを特徴とする映像表示装置。
【請求項８】
内部メモリを有し、外部メモリから当該内部メモリに転送された補正データを用いて外部から入力される映像データに対して補正処理を行う画像処理部を備えた表示用制御回路において、
外部の制御部からの指令により外部メモリと内部メモリのデータの比較を行うチェック手段を備えたことを特徴とする表示用制御回路。
【発明の詳細な説明】
【技術分野】
【０００１】
本発明は、映像表示装置及び表示用制御回路、特に、外部メモリから内部メモリに転送された補正データを用いて入力映像データに対して補正処理を行う映像表示装置及び表示用制御回路に関する。
【背景技術】
【０００２】
映像表示装置では、通常、取り込まれた映像信号をそのまま出力すると、表示部の電圧−光変換特性が線形ではないため、撮影時と色合い等が異なる映像が表示されてしまうので、映像補正部により、例えば、輝度補正や輪郭補正等が実行されている。また、動画に対しては、鮮鋭度を向上させるために輪郭補正処理等もよく行われている。
このような補正動作を行うため、映像表示装置では、外部メモリに格納された補正データを内部メモリに転送し、この補正データを用いて入力映像データに対する補正処理を行っている。
【０００３】
一方、ＩＣにおいて動作を変更する場合、ＩＣ内部のレジスタや内蔵メモリ等に設定値をＣＰＵから書き込む必要があり、また、ＥＥＰＲＯＭなどの不揮発性メモリよりなる外部メモリに設定値を保存し、必要なときに内部メモリへデータを転送して使用する場合もある。このような場合、ＣＰＵは転送データが正常に転送されたか否かのチェックを、パリティチェックやチェックサムの計算により実行している（例えば、特許文献１参照）。
【特許文献１】特開平１０−１３３９６２号公報
【発明の開示】
【発明が解決しようとする課題】
【０００４】
上記のように、従来、転送データが正常に転送されたか否かのチェックをＣＰＵにより行っているが、開発ＩＣの規模が大きくなるに従い、設定するデータ量が多くなるため、転送データが正常に転送されたか否かのチェックを行う際にＣＰＵの負荷が大きくなる、という問題が生じている。
また、映像データの表示用ＩＣで使用している内部メモリのアクセス中に設定値を変更する場合、ＣＰＵアクセスが制限される、という問題も生じる。
【０００５】
本発明は、上記の問題に鑑みてなされたもので、ＣＰＵが１つのコマンドで補正データの転送・チェックを行うことができ、表示用のメモリデータ変更に関してＣＰＵの負荷を軽減することができる映像表示装置及び表示用制御回路を提供することを目的とする。
【課題を解決するための手段】
【０００６】
上述の目的を達成するため、本発明に係る映像表示装置（１）は、
外部メモリから内部メモリに転送された補正データを用いて入力映像データに対して補正処理を行う映像表示装置であって、
制御部からの指令により外部メモリと内部メモリのデータの比較を行うチェック手段を備えたことを特徴とする。
【０００７】
また、本発明に係る映像表示装置（２）は、
外部メモリから内部メモリに転送された補正データを用いて入力映像データに対して補正処理を行う映像表示装置であって、
制御部からの指令により外部メモリから内部メモリに補正データを転送するとともに、外部メモリと内部メモリのデータの比較を行う転送・チェック手段を備えたことを特徴とする。
【０００８】
さらに、本発明に係る映像表示装置（３）は、映像表示装置（１）または（２）において、
上記チェック手段または転送・チェック手段が、映像データの非表示期間に補正データ転送及び／またはデータ比較を行うことを特徴とし、
本発明に係る映像表示装置（４）は、映像表示装置（１）または（２）において、
上記外部メモリがデータのチェックサムを格納し、上記チェック手段または転送・チェック手段が、内部メモリのデータから算出したチェックサムと上記外部メモリに格納されたチェックサムとを比較することにより、データ比較を行うことを特徴とする。
【０００９】
また、本発明に係る映像表示装置（５）は、映像表示装置（１）または（２）において、
データエラーが生じた場合、上記チェック手段または転送・チェック手段が、データエラーが生じたメモリアドレス及びデータを保存し、データ比較の再実行時にエラー発生直前のアドレスからデータ比較を実行することを特徴とし、
本発明に係る映像表示装置（６）は、映像表示装置（１）または（２）において、
上記チェック手段または転送・チェック手段が、外部メモリ及び内部メモリのメモリ領域を分割し、分割した領域毎にデータ比較を実行することを特徴とする。
【００１０】
さらに、本発明に係る映像表示装置（７）は、映像表示装置（１）または（２）において、
外部メモリ及び内部メモリの一括データ比較あるいは特定領域のみのデータ比較を選択可能であることを特徴とする。
【００１１】
また、本発明に係る表示用制御回路（１）は、
内部メモリを有し、外部メモリから当該内部メモリに転送された補正データを用いて外部から入力される映像データに対して補正処理を行う画像処理部を備えた表示用制御回路において、
外部の制御部からの指令により外部メモリと内部メモリのデータの比較を行うチェック手段を備えたことを特徴とする。
【発明の効果】
【００１２】
本発明に係る映像表示装置（１）、（２）及び表示用制御回路（１）によれば、チェック手段または転送・チェック手段が、制御部からの指令により外部メモリと内部メモリのデータの比較を自走で実行するので、制御部は、１コマンド実行のみで内部メモリへのデータ転送、転送データのチェックを行うことができ、チェック期間中も制御部が種々の設定更新を行なうことが可能となり、ＣＰＵアクセスを制限したり、表示動作に影響を与えることなくデータのチェックを実行することができる。
【００１３】
また、本発明に係る映像表示装置（３）によれば、チェック手段または転送・チェック手段が、映像データの非表示期間に補正データ転送及び／またはデータ比較を行うので、画像表示中に連続アクセスがある表示用ＩＣの映像補正用メモリに対して表示を損なうことなく外部メモリからデータを転送するとともに、転送データをチェックすることができる。
【００１４】
さらに、本発明に係る映像表示装置（４）によれば、チェック手段または転送・チェック手段が、内部メモリのデータから算出したチェックサムと外部メモリに格納されたチェックサムとを比較することにより、データ比較を行うので、データチェックを容易に行うことができる。
【００１５】
また、本発明に係る映像表示装置（５）によれば、データエラーが生じた場合、データエラーが生じたメモリアドレス及びデータが保存されるので、データチェックの再実行時にエラー発生直前のアドレスからデータチェックを実行することができ、データチェック時間を短縮できるとともに、エラーデータ内容の確認が可能となり、要因解析の手助けとすることができる。
【００１６】
さらに、メモリ容量が大きい場合、あるいは、ＣＰＵやＩＣの処理速度が遅い場合等、映像を出力しながら非表示期間にデータチェックを行うと、非表示期間内では全てのデータチェックが終了しないことが考えられるが、本発明に係る映像表示装置（６）によれば、外部メモリ及び内部メモリの領域を分割してチェックすることができるので、チェック領域を選択することができ、非表示期間毎のチェック領域を予め設定することにより、常に映像を出力しながらデータチェックを行うことが可能となる。
【００１７】
また、補正データの一部だけ変更したい場合などは、変更直後のデータチェックは全領域実施する必要がないが、変更後はすぐ補正を実行したい状況が多いと考えられ、本発明に係る映像表示装置（７）によれば、補正データの一部だけ変更した場合、変更部分のみデータチェックを行うことができるので、上記のような場合有効である。
【実施例１】
【００１８】
以下、本発明の映像表示装置の実施例について図面により説明する。
図１は本発明の映像表示装置の実施例を示すブロック図であり、図に示すように、この映像表示装置は、ＣＰＵ１、メモリインターフェース（ＩＦ）２、画像処理部３、内部メモリ４、外部メモリ５、ディスプレイ６よりなり、メモリＩＦ２、画像処理部３、内部メモリ４は表示用ＩＣ（表示用制御回路）７内に形成されている。
【００１９】
ＣＰＵ１は映像表示装置の各部のハードウェアを制御し、メモリＩＦ２は、本発明のチェック手段または転送・チェック手段に該当するものであり、外部メモリ５に記憶されている補正データを読み出して内部メモリ４に転送するとともに、転送されたデータのチェックを実行する。
また、内部メモリ４は外部メモリ５から転送された補正データを記憶し、画像処理部３は入力された画像データに対してメモリＩＦ２を介して読み出された内部メモリ４の補正データを使用して補正処理を行い、補正した画像データをディスプレイ６に出力する。
【００２０】
この画像処理部３は、図２に示すように、画像データに含まれる同期信号により表示区間、非表示区間を決定して画像データの表示処理を行っているが、この非表示の期間をメモリＩＦ２に通知することにより、メモリＩＦ２がこの非表示の期間において補正データの内部メモリ４への転送処理及び転送されたデータのチェック処理を実行する。
【００２１】
一方、図３はメモリＩＦ２の詳細を示す機能ブロック図であり、図に示すように、メモリＩＦ２は、データ転送処理部２１、データ比較部２２、チェックサム演算部２３、チェックサム比較部２４及びオア回路２５よりなり、これらの各部はＣＰＵ及びＲＯＭ、ＲＡＭ等のメモリにより構成され、その機能は主にソフトウェアプログラムにより実行される。
なお、補正データを格納する外部メモリ５はデータチェックサムの格納部５１を備えており、このデータチェックサム格納部５１のデータもメモリＩＦ２に入力される。
【００２２】
データ転送処理部２１は外部メモリ５からの補正データを読み出して内部メモリ４に転送し、この転送動作中にはbusy信号を出力する。データ比較部２２は外部メモリ５のデータと内部メモリ４のデータを比較し、この比較動作中はbusy信号を出力するとともに、データ不一致が有った場合には、err_data信号をＣＰＵ１に出力する。したがって、データ転送後にチェックが行われた場合、このerr_data信号により転送が正常完了したか否かをＣＰＵ１が知ることができる。
【００２３】
また、チェックサム演算部２３は内部メモリ４のデータの所定箇所を１６進で加算してチェックサムを演算し、求めたチェックサムをチェックサム比較部２４に出力する。そして、チェックサム比較部２４は外部メモリ５のデータチェックサム格納部５１に格納されているチェックサムデータとチェックサム演算部２３からのチェックサムデータを比較し、不一致の場合、ＣＰＵ１にerr_sum信号を出力する。このerr_sum信号により、転送正常完了後、内部データが破壊されていないか否かをＣＰＵ１が確認することができる。
【００２４】
さらに、オア回路２５にはデータ転送処理部２１、データ比較部２２からのbusy信号が入力され、いずれかのbusy信号が発生している場合、ＣＰＵ１に転送中またはチェック中であることを示すbusy信号を出力するので、ＣＰＵ１で転送またはデータ比較の動作完了を確認することができる。
【００２５】
次に、上記の映像表示装置のデータチェック時の作用について図４のフローチャートにより説明する。
ＣＰＵ１は、例えば、静止画の場合、１時間毎、動画の場合、１００フレーム毎（約16.6ｍｓ×１００＝1.66ｓ毎）に図４のフローチャートに示すデータチェックプログラムを開始し、このプログラムを開始すると、まず、チェック回数の値Ｎを１にセットした（ステップ１０１）後、メモリＩＦ２にメモリデータのチェックを実行させるコマンドを発行する（ステップ１０２）。
【００２６】
これにより、メモリＩＦ２のデータ比較部２２が、画像処理部３から通知される画像データの非表示期間を検出し、この非表示期間に外部メモリ５のデータと内部メモリ４のデータを比較する。この比較動作中データ比較部２２は、busy信号をＣＰＵ１に出力するとともに、データ不一致が有った場合には、err_data信号をＣＰＵ１に出力する。また、チェックサム比較部２４は外部メモリ５のチェックサムデータとチェックサム演算部２３からのチェックサムデータを比較し、不一致の場合、err_sum信号をＣＰＵ１に出力する。
なお、このチェック期間の間、ＣＰＵ１はその他の設定更新のプログラムを実行することが可能である。
【００２７】
ＣＰＵ１は、メモリＩＦ２にチェック実行コマンドを発行した後、メモリＩＦ２からのbusy信号を監視することによりデータチェックが完了したか否かを判定しており（ステップ１０３）、メモリＩＦ２でのデータチェックが完了すると、メモリＩＦ２からerr_data信号またはerr_sum信号が出力されたか否か判定することにより、データエラーの有無を判別する（ステップ１０４）。
そして、データエラーなしの場合、ＣＰＵ１は画像処理部３に補正ＯＮを指令する（ステップ１０５）ので、画像処理部３が入力された画像データに対してメモリＩＦ２を介して読み出された内部メモリ４の補正データを使用して映像補正を行い、補正した画像データをディスプレイ６に出力する。
【００２８】
一方、ステップ１０４でデータエラーがあったと判定した場合、ＣＰＵ１は、チェック回数Ｎに１を加算した（ステップ１０６）後、チェック回数Ｎが所定回数Ｎo、例えば、３回を超えているか否かを判定し（ステップ１０７）、チェック回数Ｎが３以内であれば、ステップ１０２に戻り、再び、メモリＩＦ２にメモリデータのチェック実行コマンドを発行する。
また、ステップ１０７でチェック回数Ｎが４以上であると判定した場合、ＣＰＵ１は、内部メモリ４の補正データが異常と判定し、画像処理部３に補正ＯＦＦを指令する（ステップ１０８）ので、画像処理部３は入力された画像データに対して映像補正を行うことなくディスプレイ６に出力する。
【００２９】
以上のように、ＣＰＵ１からの指令によりメモリＩＦ２が外部メモリと内部メモリのデータチェックを行うので、ＣＰＵ１は１コマンド実行のみで内部メモリのデータチェックを行うことができ、このチェック期間中も種々の設定更新を行うことが可能となる。
【００３０】
次に、映像表示装置の補正データ転送時の作用について図５のフローチャートにより説明する。
ＣＰＵ１は、補正データ転送時に、図５のフローチャートに示す補正データ転送プログラムを開始し、このプログラムを開始すると、まず、メモリＩＦ２に外部メモリ５から内部メモリ４へのデータ転送コマンドを発行する（ステップ２０１）。
これにより、メモリＩＦ２のデータ転送処理部２１が、画像処理部３から通知される画像データの非表示期間を検出し、この非表示期間に外部メモリ５のデータの内部メモリ４への転送処理を実行し、この転送動作中busy信号をＣＰＵ１に出力する。
【００３１】
そして、ＣＰＵ１は、メモリＩＦ２にデータ転送コマンドを発行した後、メモリＩＦ２からのbusy信号を監視することによりデータ転送が完了したか否かを判定しており（ステップ２０２）、メモリＩＦ２によるデータ転送が完了すると、転送データをチェックする必要があるか否かを判定する（ステップ２０３）。
なお、このデータチェックの必要性の有無はプログラム内で任意に設定できるようにすることが可能である。
【００３２】
転送データをチェックする必要がないと判定した場合、ＣＰＵ１は転送プログラムを終了し、転送データをチェックする必要があると判定した場合、転送データのチェックを実行するが、ステップ２０４〜ステップ２１１のデータチェックの作用は図４のフローチャートのステップ１０１〜ステップ１０８の作用と同じであるので、説明を省略する。
以上のように、ＣＰＵ１からの指令によりメモリＩＦ２がデータ転送及びデータチェックを行うので、ＣＰＵ１は１コマンド実行のみで内部メモリへのデータ転送、転送データのチェックを行うことができる。
【実施例２】
【００３３】
上記の実施例では、データエラーがあった場合、再度全てのデータのチェックを行ったが、データ不一致のあったアドレスとデータをレジスタ等に格納し、再チェック時に格納したアドレスの直前からデータチェックを実行するようにすることもでき、以下、データ不一致のあったアドレスからデータチェックを実行する実施例について説明する。
なお、装置構成は、メモリＩＦ２がデータ不一致のあったアドレスとデータを格納するレジスタを備えている点を除いて図１、図３と同様であるので、詳細な説明は省略する。
【００３４】
ＣＰＵ１は、一定時間毎に図６のフローチャートに示すデータチェックプログラムを開始し、このプログラムを開始すると、まず、チェック回数の値Ｎを１にセットした（ステップ３０１）後、メモリＩＦ２にメモリデータのチェックを実行させるコマンドを発行する（ステップ３０２）。
【００３５】
これにより、メモリＩＦ２のデータ比較部２２が、画像処理部３から通知される画像データの非表示期間を検出し、この非表示期間に外部メモリ５のデータと内部メモリ４のデータを比較する。この比較動作中データ比較部２２は、busy信号をＣＰＵ１に出力するとともに、データ不一致が有った場合には、err_data信号をＣＰＵ１に出力する。
【００３６】
図７は上記のデータ比較部２２による外部メモリ５のデータと内部メモリ４のデータの比較状況を示す図であり、図に示すように、データ比較部２２は、先頭アドレスから順にデータを比較し、データの不一致が有った場合、データ不一致のあったアドレス（AddressX）とデータ（DataY）を再チェック開始用レジスタ２６及びエラーデータ確認用レジスタ２７に格納するとともに、err_data信号をＣＰＵ１に出力する。
【００３７】
ＣＰＵ１は、メモリＩＦ２にチェックコマンドを発行した後、メモリＩＦ２からのbusy信号を監視することによりデータチェックが完了したか否かを判定しており（ステップ３０３）、メモリＩＦ２でのデータチェックが完了すると、メモリＩＦ２からerr_data信号が出力されたか否かを判定することにより、データエラーの有無を判別し（ステップ３０４）、データエラーなしの場合、ＣＰＵ１は画像処理部３に補正ＯＮを指令する（ステップ３０５）。
【００３８】
そして、ステップ３０４でデータエラーがあったと判定した場合、ＣＰＵ１は、再チェックが必要か否かを判定し（ステップ３０６）、再チェック不要と判定した場合、画像処理部３に補正ＯＦＦを指令する（ステップ３０９）。
なお、データエラーがあったと判定された場合に、再チェックを行うか否かはプログラム内で任意に設定できるようにすることが可能である。
【００３９】
一方、ステップ３０６で再チェックが必要と判定した場合、ＣＰＵ１はチェック回数Ｎに１を加算した（ステップ３０７）後、チェック回数Ｎが所定回数Ｎo、例えば、３回を超えているか否かを判定し（ステップ３０８）、チェック回数Ｎが３以内であれば、ステップ３０２に戻り、メモリＩＦ２にデータの再チェックを実行させるコマンドを発行する。
これにより、メモリＩＦ２のデータ比較部２２は、再チェック開始用レジスタ２６に格納されたアドレスの値を読み、そのアドレスの直前からデータチェックを再実行する。なお、エラーデータ確認用レジスタ２７に格納されたエラーデータは確認用として保存される。
【００４０】
そして、ステップ３０８でチェック回数Ｎが４以上と判定した場合、ＣＰＵ１は、内部メモリ４の補正データが異常と判定し、画像処理部３に補正ＯＦＦを指令する（ステップ３０９）。
以上のように、データエラーが生じた場合、データエラーが生じたメモリアドレス及びデータが保存されるので、データチェックの再実行時にエラー発生直前のアドレスからデータチェックを実行することができ、データチェック時間を短縮することができるとともに、エラーデータ内容の確認が可能となり、要因解析を容易に行うことがきる。
【実施例３】
【００４１】
また、メモリ容量が大きい場合、あるいは、ＣＰＵやＩＣの処理速度が遅い場合等、映像を出力しながら非表示期間にデータチェックを行うと、非表示期間内では全てのデータチェックが終了しない場合があるので、チェック領域を分割してデータチェックを行うようにすることもでき、以下、チェック領域を分割してデータチェックを行う実施例について説明する。
なお、装置構成は図１、図３と同様であり、また、データチェック時の作用は、メモリＩＦ２のデータ比較部２２がチェック領域を分割してデータチェックを行う点を除いて、図４のフローチャートと同様であるので、詳細な説明を省略する。
【００４２】
この実施例において、ＣＰＵ１がメモリＩＦ２にメモリデータのチェックコマンドを発行すると、メモリＩＦ２のデータ比較部２２は、図８に示すように、外部メモリ５、内部メモリ４のメモリ領域を分割し、画像データの非表示期間毎に順次外部メモリ５と内部メモリ４の対応するメモリ領域のデータチェックを実行し、複数回の画像データの非表示期間によりメモリ全体のデータチェックを実行する。
以上のように、外部メモリ５及び内部メモリ４の領域を分割し、非表示期間毎のチェック領域を予め設定することにより、複数回に分けてデータチェックを行うことができるので、メモリ容量が大きく、１回の非表示期間内にデータチェックを終了できない場合であっても、常に映像を出力しながらデータチェックを行うことが可能となる。
【実施例４】
【００４３】
さらに、補正データの一部だけ変更したい場合などは、変更直後のデータチェックは全領域実施する必要がないので、変更部分のみデータチェックを行うようにすることもでき、以下、補正データの一部だけ変更した場合に、変更部分のみデータチェックを行う実施例の作用について図９のフローチャートにより説明する。
なお、装置構成は図１、図３と同様であるので、詳細な説明を省略する。
【００４４】
ＣＰＵ１は、一定時間毎に、図９のフローチャートに示すデータチェックプログラムを開始し、このプログラムを開始すると、まず、全領域チェックか否かを判定し（ステップ４０１）、全領域チェックと判定した場合には、ステップ４０４に移ってデータチェックを実行する。
なお、全領域チェックを行うか否かはプログラム内で任意に設定することが可能であり、例えば、補正データの一部だけ変更した場合、変更部分のみデータチェックを行うようにプログラムを作成することができる。
【００４５】
一方、ステップ４０１で全領域チェックを実行しないと判定した場合、ＣＰＵ１はデータチェックの開始アドレスを設定する（ステップ４０２）とともに、データチェックの終了アドレスを設定する（ステップ４０３）。このデータチェックの開始アドレスと終了アドレスはユーザが任意に設定することができ、また、補正データの一部だけ変更した場合は、その変更部分の開始アドレスと終了アドレスが自動的に設定されるようにすることもできる。
【００４６】
次に、ＣＰＵ１はデータチェックを実行するが、ステップ４０４〜ステップ４１１の作用は、メモリＩＦ２のデータ比較部２２がデータの一部のみチェックを行う場合に、上記開始アドレスと終了アドレス間のデータのみのチェックを行う点を除いて図４のフローチャートのステップ１０１〜ステップ１０８の作用と同じであるので、説明を省略する。
以上のように、補正データの一部だけ変更した場合に、その変更部分のみデータチェックを行ったり、あるいは、ユーザが補正データの重要な箇所のみを指定して補正データのチェックを行うことができるので、データチェックに要する時間を短縮することが可能である。
【００４７】
なお、以上の実施例では、メモリＩＦによりデータ転送とデータチェックの両者を行うようにしたが、データチェックのみを行う専用の回路を設けるようにしてもよい。
また、以上の実施例では、静止画の場合、１時間毎、動画の場合、１００フレーム毎（約16.6ｍｓ×１００＝1.66ｓ毎）に補正データのチェックを行うようにしたが、これらの時間間隔は一例であり、システムプログラムで任意に変更できるようにすることが可能である。
【図面の簡単な説明】
【００４８】
【図１】本発明の映像表示装置の実施例を示すブロック図である。
【図２】画像データに含まれる同期信号、表示データ及び表示区間／非表示区間を示す波形図である。
【図３】メモリインターフェース（ＩＦ）の詳細を示す機能ブロック図である。
【図４】映像表示装置のデータチェック時の作用を示すフローチャートである。
【図５】映像表示装置の補正データ転送時の作用を示すフローチャートである。
【図６】データ不一致のあったアドレスからデータチェックを再実行する実施例の作用を示すフローチャートである。
【図７】データ比較部による外部メモリデータと内部メモリデータの比較状況を示す図である。
【図８】外部メモリ、内部メモリのメモリ領域を分割してデータチェックを実行する実施例のデータ比較状況を示す図である。
【図９】補正データの一部のみデータチェックを行う実施例の作用を示すフローチャートである。
【符号の説明】
【００４９】
１  ＣＰＵ
２  メモリＩＦ
３  画像処理部
４  内部メモリ
５  外部メモリ
６  ディスプレイ
７  表示用ＩＣ
２１  データ転送処理部
２２  データ比較部
２３  チェックサム演算部
２４  チェックサム比較部
２５  オア回路
２６  再チェック開始用レジスタ
２７  エラーデータ確認用レジスタ
【図１】
2007047426.tif 000003
【図２】
2007047426.tif 000004
【図３】
2007047426.tif 000005
【図４】
2007047426.tif 000006
【図５】
2007047426.tif 000007
【図６】
2007047426.tif 000008
【図７】
2007047426.tif 000009
【図８】
2007047426.tif 000010
【図９】
2007047426.tif 000011